(57)【要約】【課題】ファクシミリ受信した際の受信条件を印刷媒体を見て容易に判別可能なファクシミリ装置を提供する。【解決手段】データをファクシミリ受信する受信手段と、前記受信手段でファクシミリ受信する際の受信条件と任意の画像に合成されて印刷される装飾画像を定義している印刷定義情報とを関連付けて記憶している記憶手段と、前記受信手段でファクシミリ受信したデータが表す画像を、当該データをファクシミリ受信した際の受信条件に対応付けられている前記印刷定義情報に基づいて印刷する印刷手段と、を備えるファクシミリ装置。【選択図】図１
2007165986.tif 000002
【特許請求の範囲】
【請求項１】
データをファクシミリ受信する受信手段と、
前記受信手段でファクシミリ受信する際の受信条件と任意の画像に合成されて印刷される装飾画像を定義している印刷定義情報とを対応付けて記憶している記憶手段と、
前記受信手段でファクシミリ受信したデータが表す画像を、当該データをファクシミリ受信した際の受信条件に対応付けられている前記印刷定義情報に基づいて印刷する印刷手段と、
を備えるファクシミリ装置。
【請求項２】
データをファクシミリ受信する受信手段と、
前記受信手段でファクシミリ受信する際の受信条件と印刷媒体に任意の画像を割り付けるレイアウトを定義している印刷定義情報とを対応付けて記憶している記憶手段と、
前記受信手段でファクシミリ受信したデータが表す画像を、当該データをファクシミリ受信した際の受信条件に対応付けられている前記印刷定義情報に基づいて印刷媒体に印刷する印刷手段と、
を備えるファクシミリ装置。
【請求項３】
前記印刷定義情報に基づいて印刷するか否かの選択を受け付ける選択受付手段を更に備え、
前記印刷手段は、前記選択受付手段で前記印刷定義情報に基づいて印刷するよう選択されている場合は前記データが表す画像を前記印刷定義情報に基づいて印刷し、前記印刷定義情報に基づいて印刷しないよう選択されている場合は前記データが表す画像のみを所定のレイアウトで印刷する請求項１または２に記載のファクシミリ装置。
【請求項４】
前記受信手段でファクシミリ受信する際の受信条件と前記印刷定義情報とを対応付ける対応付け手段を更に備える請求項１、２又は３に記載のファクシミリ装置。
【請求項５】
前記受信条件をグループ化し、グループ単位に前記印刷定義情報を対応付けるグループ対応付け手段を更に備える請求項４に記載のファクシミリ装置。
【請求項６】
前記印刷定義情報を外部から入力するための入力手段を更に備える請求項４又は５に記載のファクシミリ装置。
【請求項７】
前記記憶手段は不揮発性の脱着不可能な記憶媒体を有し、
前記入力手段は脱着可能な記憶媒体から前記印刷定義情報を読み込んで入力し、入力した前記印刷定義情報を前記脱着不可能な記憶媒体に記憶させる請求項６に記載のファクシミリ装置。
【請求項８】
前記記憶手段は、前記受信条件とそれぞれが特定の頁番号に対応付けられている複数の前記印刷定義情報とを対応付けて記憶しており、
前記印刷手段は、前記受信手段でファクシミリ受信したデータが表す画像が複数頁に亘るとき、各頁に印刷する画像を、当該データをファクシミリ受信した際の受信条件に対応付けられている複数の前記印刷定義情報のうち当該頁の頁番号に対応付けられている前記印刷定義情報に基づいて印刷する請求項１〜７のいずれか一項に記載のファクシミリ装置。
【請求項９】
前記受信条件は、前記受信手段でファクシミリ受信する際の送信元番号である請求項１〜８のいずれか一項に記載のファクシミリ装置。
【請求項１０】
前記受信条件は、前記受信手段でファクシミリ受信する際の曜日である請求項１〜８のいずれか一項に記載のファクシミリ装置。
【請求項１１】
前記受信条件は、前記受信手段でファクシミリ受信する際の日である請求項１〜８のいずれか一項に記載のファクシミリ装置。
【発明の詳細な説明】
【技術分野】
【０００１】
本発明は、ファクシミリ装置に関する。
【背景技術】
【０００２】
従来、送信元番号と印刷媒体のサイズとを予め対応付けておき、ファクシミリ受信したデータを当該データの送信元番号に対応付けられているサイズの印刷媒体に印刷するファクシミリ装置が知られている（例えば特許文献１参照。）。特許文献１に記載のファクシミリ装置によると、例えばある特定の送信元からファクシミリ受信するデータが表す画像のサイズが特定のサイズに限定されている場合、当該特定のサイズを対応付けておくことにより、送信元毎に適切なサイズの印刷媒体にデータを印刷できる。
【０００３】
しかしながら、特許文献１に記載の発明によると、例えば異なる送信元番号に同一のサイズが対応付けられている場合、印刷媒体から一目で送信元を判別できないので、データが印刷された印刷媒体を送信元番号に応じて仕分けする場合に不便である。
また、従来のファクシミリ装置は、受信したデータが表す画像を決まった所定のレイアウトで印刷媒体に印刷する。しかしながら、ある特定の送信元からファクシミリ受信するデータについては特定のレイアウトで印刷したい場合もある。このような場合に、従来のファクシミリ装置ではレイアウトを自由に指定できないという問題がある。
【０００４】
【特許文献１】特開２００２−１００５３号公報
【発明の開示】
【発明が解決しようとする課題】
【０００５】
本発明は、上述の問題を解決するために創作されたものであって、ファクシミリ受信した際の受信条件を印刷媒体を見て容易に判別可能なファクシミリ装置を提供することを第１の目的とする。
また、本発明は、上述の問題を解決するために創作されたものであって、ファクシミリ受信したデータを受信条件に応じたレイアウトで印刷可能なファクシミリ装置を提供することを第２の目的とする。
【課題を解決するための手段】
【０００６】
（１）上記第１の目的を達成するためのファクシミリ装置は、データをファクシミリ受信する受信手段と、前記受信手段でファクシミリ受信する際の受信条件と任意の画像に合成されて印刷される装飾画像を定義している印刷定義情報とを対応付けて記憶している記憶手段と、前記受信手段でファクシミリ受信したデータが表す画像を、当該データをファクシミリ受信した際の受信条件に対応付けられている前記印刷定義情報に基づいて印刷する印刷手段と、を備える。
本発明によると、受信手段でファクシミリ受信したデータが表す画像に当該データをファクシミリ受信した際の受信条件に対応付けられている装飾画像を合成して印刷するので、合成されている装飾画像の違いによってユーザは受信条件を容易に判別できる。
【０００７】
（２）上記第２の目的を達成するためのファクシミリ装置は、データをファクシミリ受信する受信手段と、前記受信手段でファクシミリ受信する際の受信条件と印刷媒体に任意の画像を割り付けるレイアウトを定義している印刷定義情報とを対応付けて記憶している記憶手段と、前記受信手段でファクシミリ受信したデータが表す画像を、当該データをファクシミリ受信した際の受信条件に対応付けられている前記印刷定義情報に基づいて印刷媒体に印刷する印刷手段と、を備える。
本発明によると、ファクシミリ受信したデータを受信条件に応じたレイアウトで印刷できる。
【０００８】
（３）前記印刷定義情報に基づいて印刷するか否かの選択を受け付ける選択受付手段を更に備え、前記印刷手段は、前記選択受付手段で前記印刷定義情報に基づいて印刷するよう選択されている場合は前記データが表す画像を前記印刷定義情報に基づいて印刷し、前記印刷定義情報に基づいて印刷しないよう選択されている場合は前記データが表す画像のみを所定のレイアウトで印刷してもよい。
本発明によると、ユーザはファクシミリ受信したデータが表す画像を印刷定義情報に基づいて印刷するか否かを必要に応じて自由に選択できる。
【０００９】
（４）前記受信手段でファクシミリ受信する際の受信条件と前記印刷定義情報とを対応付ける対応付け手段を更に備えてもよい。
本発明によると、ユーザは各受信条件に所望の印刷定義情報を対応付けることができる。
【００１０】
（５）前記受信条件をグループ化し、グループ単位に前記印刷定義情報を対応付けるグループ対応付け手段を更に備えてもよい。
本発明によると、ある複数の受信条件に同一の印刷定義情報を対応付けたい場合、それら複数の受信条件をグループ化し、そのグループに対して印刷定義情報を対応付けることにより、当該複数の受信条件に一括して同一の印刷定義情報を対応付けることができる。
【００１１】
（６）前記印刷定義情報を外部から入力するための入力手段を更に備えてもよい。
本発明によると、所望の印刷定義情報を入力して対応付けできる。
【００１２】
（７）前記記憶手段は不揮発性の脱着不可能な記憶媒体を有し、前記入力手段は脱着可能な記憶媒体から前記印刷定義情報を読み込んで入力し、入力した前記印刷定義情報を前記脱着不可能な記憶媒体に記憶させてもよい。
本発明によると、脱着可能な記憶媒体がファクシミリ受信時にファクシミリ装置から取り外されてしまっていても、脱着不可能な記憶媒体から読み込むことにより、脱着可能な記憶媒体に記憶されていた印刷定義情報に基づいて印刷できる。
【００１３】
（８）前記記憶手段は、前記受信条件とそれぞれが特定の頁番号に対応付けられている複数の前記印刷定義情報とを対応付けて記憶しており、前記印刷手段は、前記受信手段でファクシミリ受信したデータが表す画像が複数頁に亘るとき、各頁に印刷する画像を、当該データをファクシミリ受信した際の受信条件に対応付けられている複数の前記印刷定義情報のうち当該頁の頁番号に対応付けられている前記印刷定義情報に基づいて印刷してもよい。
本発明によると、頁毎に異なる印刷定義情報に基づいて印刷できる。
【００１４】
（９）前記受信条件は、前記受信手段でファクシミリ受信する際の送信元番号であってもよい。
本発明によると、送信元番号毎に異なる印刷定義情報に基づいて印刷できる。
【００１５】
（１０）前記受信条件は、前記受信手段でファクシミリ受信する際の曜日であってもよい。
本発明によると、曜日毎に異なる印刷定義情報に基づいて印刷できる。
【００１６】
（１１）前記受信条件は、前記受信手段でファクシミリ受信する際の日であってもよい。
本発明によると、日毎に異なる印刷定義情報に基づいて印刷できる。
【００１７】
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。
【発明を実施するための最良の形態】
【００１８】
以下、本発明の実施の形態を複数の実施例に基づいて説明する。尚、各実施例で対応する構成要素及び処理には同一の符号を付し、各実施例で対応する構成要素及び処理について重複する説明は省略する。
【００１９】
（第１実施例）
図２は、本発明の第１実施例に係るファクシミリ装置としての複合機１０の外観を示す斜視図である。図３は、複合機１０のハードウェア構成を示すブロック図である。複合機１０は、原稿を読み取ってディジタル画像を生成し、生成したディジタル画像を印刷ユニット３０、ファクシミリ送受信部５０、リムーバブルメモリ１１、あるいは図示しないＰＣ（Personal Computer）に出力するスキャンユニット２０と、スキャンユニット２０、ファクシミリ送受信部５０、リムーバブルメモリ１１、あるいはＰＣから入力されるディジタル画像を印刷する印刷ユニット３０とを有している。
【００２０】
スキャンユニット２０は、主に上部ケース２１に収容され、照明部２２、イメージセンサ２３、ＡＦＥ（Analog Front End）部２４、センサ駆動部２５、センサキャリッジ駆動部２６などを備える。照明部２２は、主走査方向に長い蛍光管ランプ等で構成される。センサ駆動部２５に駆動されるイメージセンサ２３は、ＲＧＢの３チャネルの光電素子群を備えるカラーＣＣＤリニアイメージセンサ等のリニアイメージセンサである。イメージセンサ２３は、透明な原稿台２７と平行に移動する図示しないセンサキャリッジに搭載されている。イメージセンサ２３は、図示しないレンズ及びミラーにより受光面に結像される原稿の光学像の濃淡に相関する電気信号を出力する。センサキャリッジ駆動部２６は、図示しないモータ、駆動ベルト、駆動回路等を備える。センサキャリッジ駆動部２６は、主走査方向に垂直に架設された図示しないガイドロッドに沿ってセンサキャリッジを往復移動させる。イメージセンサ２３が主走査方向と垂直な方向に移動することにより二次元画像を読み取り可能となる。ＡＦＥ部２４は、増幅、ノイズ除去等のアナログ信号処理回路、Ａ／Ｄ変換器等を備える。
【００２１】
印刷手段としての印刷ユニット３０は、主に下部ケース３１に収容され、インクジェット方式で紙等の印刷媒体に画像を形成する印字ヘッド３２、ヘッドキャリッジ駆動部３３、送紙部３４、これらを制御する印刷ユニット制御部３５などを備える。尚、印刷ユニット３０はレーザ方式等の他の印刷方式に対応する構成でもよい。印字ヘッド３２は、インクカートリッジが搭載される図示しないヘッドキャリッジに設けられ、ノズル、ピエゾ素子、ピエゾ素子に印加する駆動信号を出力するピエゾ駆動回路等を備える。ピエゾ駆動回路は、印刷ユニット制御部３５から出力される制御信号に応じて所定の波形の駆動信号をピエゾ素子に印加する。ヘッドキャリッジ駆動部３３は、図示しないモータ、駆動ベルト、モータ駆動回路等を備える。ヘッドキャリッジ駆動部３３は、用紙の搬送方向と垂直に印字ヘッド３２を往復移動させる。送紙部３４は、図示しない用紙搬送ローラ、モータ、モータ駆動回路等を備える。送紙部３４は、用紙搬送ローラを回転させることにより用紙を印字ヘッド３２の移動方向軸線と垂直な方向に搬送する。印刷ユニット制御部３５は、ＲＡＭ６６から順次印字データが転送されるバッファメモリと、バッファメモリに格納された印字データを印字ヘッド３２に出力するタイミングをヘッドキャリッジの位置に応じて制御する機能と、ヘッドキャリッジ駆動部３３を制御する機能と、送紙部３４を制御する機能とを備えるＡＳＩＣである。
【００２２】
印刷手段としてのディジタル画像処理部４６は、ＡＦＥ部２４から出力された画像データに対し、ガンマ補正、シェーディング補正、ＪＰＥＧ形式のエンコード等の画像処理を施してディジタル画像を生成する処理や、ＪＰＥＧ形式のディジタル画像のデコード、解像度変換、アンシャープ処理、階調補正、二値化、分版処理等の画像処理をＣＰＵ６８と協働して実行するＤＳＰ等の専用回路である。
【００２３】
受信手段としてのファクシミリ送受信部５０は、公衆電話網と接続するためのＮＣＵ（Ｎｅｔｗｏｒｋ  Ｃｏｎｔｒｏｌ  Ｕｎｉｔ）、送受信データの変復調を行うモデム、ＩＴＵ−Ｔ勧告に従ってプロトコル制御を行うプロトコル制御部、送受信データを符号化および復号化する符号化・復号化部などを有し、カラー画像を送受信可能に構成されている。符号化・復号化部はカラー画像の送受信時にはカラー画像をＪＰＥＧ方式によって符号化および復号化し、モノクロ画像の送受信時にはモノクロ画像をＭＨ（Ｍｏｄｉｆｉｅｄ Ｈｕｆｆｍａｎ）、ＭＲ（Ｍｏｄｉｆｉｅｄ Ｒｅａｄ）、ＭＭＲ（Ｍｏｄｉｆｉｅｄ Ｍｏｄｉｆｉｅｄ Ｒｅａｄ）などの方式によって符号化および復号化する。
計時部４５は、一定周期で振動する水晶発振器とカウンタ回路とを備え、水晶発振器の発するパルスを基に時刻データを更新していくことで初期値が設定されたときから経過した時間に応じた時刻データを保持する。この時刻データには年月日、曜日、時間などが含まれている。
【００２４】
記憶手段および入力手段としての外部メモリコントローラ４１は、カードスロット４７から挿入されたリムーバブルメモリ１１に接続される。リムーバブルメモリ１１に格納されたデータは外部メモリコントローラ４１によって読み出され、ＲＡＭ６６に転送される。リムーバブルメモリ１１は電源が供給されなくても記憶内容が保持されるフラッシュメモリ６７などの脱着可能な不揮発性の記憶媒体である。
【００２５】
選択受付手段、対応付け手段およびグループ対応付け手段としての表示部４２は、ＬＣＤ４２ａ、ＬＣＤ４２ａを制御する図示しないグラフィックコントローラなどを備える。表示部４２は制御部６５に制御され、ＬＣＤ４２ａにディジタル画像や各種のメニューなどを表示する。
選択受付手段、対応付け手段およびグループ対応付け手段としての操作部４３は、ＬＣＤ４２ａに表示されたメニューを操作するための各種の操作ボタン、印刷や読み取りの開始を指示する指示ボタンなどの各種の操作ボタンを備える。また、操作部はファクシミリ番号を入力するための複数の番号ボタンなども備えている。
【００２６】
通信部４４は、制御部６５がＰＣ等の外部のシステムと通信するための通信インタフェースである。通信部４４は、ＬＡＮ、インターネット、ＵＳＢ等を通じて外部のシステムと通信する。
制御部６５は、ＲＡＭ６６、フラッシュメモリ６７及びＣＰＵ６８を備える。ＣＰＵ６８はフラッシュメモリ６７に格納されている制御プログラムを実行して複合機１０の各部を制御する。また、制御部６５は制御プログラムを実行することにより、受信手段、印刷手段、記憶手段、入力手段、選択受付手段、対応付け手段、およびグループ対応付け手段としても機能する。脱着不可能な記憶媒体としてのフラッシュメモリ６７は電力供給が遮断されても記憶内容が失われない不揮発性メモリである。フラッシュメモリ６７には制御プログラム、印刷定義情報、各種のテーブルなどが記憶される。制御プログラムは遠隔地のサーバからネットワークを経由してフラッシュメモリ６７に格納してもよいし、リムーバブルメモリ１１などのコンピュータ読み取り可能な記録媒体を経由してフラッシュメモリ６７に格納してもよい。ＲＡＭ６６は、制御プログラム、ファクシミリ送受信部５０で受信したデータ、スキャンユニット２０で生成されたディジタル画像などの各種のデータが一時的に格納される揮発性メモリである。
【００２７】
次に、装飾画像について説明する。
図４は、装飾画像の一例を示す模式図である。装飾画像７０上には任意の画像が合成される合成領域７１が定義されている。この合成領域７１は装飾画像７０に付加されている図示しない領域定義情報によって定義されている。領域定義情報は、装飾画像７０の各画素について当該画素が合成領域７１を構成する画素であるか否かを表す情報である。領域定義情報は装飾画像７０の各画素にそれぞれ持たせてもよいし、装飾画像７０とは別のファイルに格納してもよい。なお、領域定義情報は装飾画像７０を構成する各画素の透過率を表す所謂αチャンネルデータであってもよい。領域定義情報がαチャンネルデータである場合、制御部６５は透過率に基づく割合で対象となるディジタル画像の画素と装飾画像７０の画素とを合成して印刷ユニット３０に印刷させる。
【００２８】
次に、印刷定義情報について説明する。
図５は印刷定義情報としてのスクリプトの一例を示す模式図である。図６（Ａ）は図５に示したスクリプトに基づく印刷を説明するための模式図であり、図６（Ｂ）は図５に示したスクリプトに基づいて印刷された結果を示す模式図である。
図５に示すように、スクリプトには例えば印刷媒体のサイズ（例えば「ハガキ」）、印刷媒体の向き（例えば「縦長」）、印刷媒体に任意のディジタル画像を割り付ける画像枠（例えば右上座標（Ｘ１，Ｙ１）と枠の左下座標（Ｘ２，Ｙ２））、当該画像枠にディジタル画像を割り付けるときのディジタル画像の向き（例えば「縦」）、当該画像枠に割り付けられる装飾画像のファイル名（例えば「装飾画像００１．ｅｆｆ」）、当該画像枠に当該装飾画像を割り付けるときの装飾画像の向き（例えば「縦」）などが定義されている。画像枠は印刷媒体に任意のディジタル画像を割り付けるレイアウトを定義するものであり、すなわち図５に示すスクリプトは任意のディジタル画像が合成される装飾画像を定義している情報であるとともに、印刷媒体に任意のディジタル画像を割り付けるレイアウトを定義している情報でもある。なお、スクリプトは複合機１０の製造元が作成して配布したものを用いることもできるし、ユーザが自由に作成したものを用いることもできる。また、スクリプトは複合機１０に固有の言語で記述してもよいし、ＸＭＬやＸＨＴＭＬなどの規格化されている言語で記述してもよい。
図６（Ａ）および図６（Ｂ）に示すように、ディジタル画像はそのディジタル画像が割り付けられる画像枠に割り付けられる装飾画像の合成領域に合成され、当該画像枠に割り付けられる。
【００２９】
次に、受信条件とスクリプトとの対応付けを行うための画面について説明する。
ここで受信条件とは、本実施例ではデータをファクシミリ受信することによって一意に特定される各種の情報のことをいう。例えば送信元の電話番号（送信元番号）、ファクシミリ受信した曜日、ファクシミリ受信した日、ファクシミリ受信するデータのサイズなどはいずれも本実施例でいうところの受信条件である。なお、受信条件はこれらに限られるものではなく、データをファクシミリ受信することによって一意に特定される任意の情報を必要に応じて受信条件として用いることができる。例えば受信条件はファクシミリ受信するデータがモノクロ画像であるかカラー画像であるかを示す色情報であってもよい。また、受信条件は必ずしも送信元から受信する情報に限られるものではなく、前述した「曜日」や「日」のようにそのファクシミリ受信に基づいて受信側で特定される情報であってもよい。
【００３０】
図７および図８は、受信条件とスクリプトとの対応付けを行うための画面の画面遷移図である。
画面８１は、セットアップ項目を選択するための画面である。この画面で「ファクシミリモード設定」を選択する。
画面８２は、設定項目を選択するための画面である。この画面で「ファクシミリ受信時のスクリプト」を選択する。
【００３１】
画面８３は、受信データをスクリプトに基づいて印刷するか否かをユーザが選択するための画面である。画面８３には図示するように「受信データをスクリプトに基づいて印刷しますか？」というメッセージが表示される。ユーザが「Ｙｅｓ」を選択すると、以降にファクシミリ受信したデータが表す画像は、当該データをファクシミリ受信した際の受信条件にスクリプトが対応付けられていればそのスクリプトに基づいて印刷される。逆にユーザが「Ｎｏ」を選択すると、以降にファクシミリ受信したデータはスクリプトに基づくことなく所定のレイアウトで印刷される。ここでいう所定のレイアウトとは、一般のファクシミリ装置と同様にある程度の余白を残して印刷媒体全体に画像が印刷されるレイアウトである。ユーザは画面８３で「Ｙｅｓ」または「Ｎｏ」を選択することにより、ファクシミリ受信したデータが表す画像を印刷定義情報に基づいて印刷するか否かを必要に応じて自由に選択できる。画面８３で「Ｙｅｓ」を選択すると画面８４に遷移し、「Ｎｏ」を選択するとセットアップが終了する。
【００３２】
画面８４は、受信条件の種別を選択するための画面である。画面８４には図示するように受信条件の種別として「送信元番号別」、「曜日別」、および「日別」、ならびに一つ以上の送信元番号をグループ化した「グループ別」が表示される。受信条件の種別を選択すると、選択した種別に応じて図９に示す画面８５ａ〜８５ｄのいずれかが表示される。
【００３３】
画面８５ａは、送信元番号を入力するための画面である。ユーザは操作部４３の番号ボタンを押すことによって送信元番号を入力する。ファクシミリ受信したデータが表す画像を印刷した印刷媒体を送信元番号別に仕分けする必要がある場合、受信条件として送信元番号を設定することにより、送信元番号別の仕分けをより容易に行うことができる。
画面８５ｂは、曜日を選択するための画面である。ユーザは表示されている曜日の中から目的の曜日を選択することによって曜日を選択する。ファクシミリ受信したデータが表す画像を印刷した印刷媒体を曜日別に仕分けする必要がある場合、受信条件として曜日を設定することにより、曜日別の仕分けをより容易に行うことができる。
画面８５ｃは、日を入力するための画面である。ユーザは操作部４３の番号ボタンを押すことによって日または期間を設定する。ユーザは例えば１０日を設定する場合は「１０」を入力し、２０日〜３０日という期間を設定する場合は「２０〜３０」を入力する。「１０」を入力した場合は、全ての月において１０日はファクシミリ受信したデータが表す画像がこの後に選択されるスクリプトに基づいて印刷され、「２０〜３０」を入力した場合は、全ての月において２０日〜３０日、すなわち月の下旬はファクシミリ受信したデータが表す画像がこの後に選択されるスクリプトに基づいて印刷されることになる。ファクシミリ受信したデータが表す画像を印刷した印刷媒体を日別に仕分けする必要がある場合、受信条件として日を設定することにより、日別の仕分けをより容易に行うことができる。
【００３４】
画面８５ｄは、複数の送信元番号で構成されるグループを選択するための画面である。ユーザは図示しない別の画面で予め送信元番号を自由にグループ化することができ、設定されたグループにはグループ名が付与される。画面８５ｄには予め設定されているグループ名が一覧表示され、ユーザは操作部４３を操作してグループを選択する。例えばある複数の受信条件については同一のスクリプトに基づいて印刷したい場合、それら複数の受信条件をグループ化し、そのグループに対してスクリプトを対応付けることにより、当該複数の受信条件に一括して同一のスクリプトを対応付けることができる。ある複数の送信元番号については同一の区分に仕分けする必要がある場合、受信条件としてグループを設定することにより、同一の区分に仕分けされるべき印刷媒体を容易に判別できる。
【００３５】
図８に示す画面８６は、スクリプトを選択するための画面である。画面８６には、フラッシュメモリ６７に記憶されているスクリプトのファイル名およびリムーバブルメモリ１１に記憶されているスクリプトのファイル名が一覧表示される。なお、例えば通信ネットワークに接続可能な場合は所定のサーバに記憶されているスクリプトのファイル名を表示してもよい。リムーバブルメモリ１１やサーバに格納されているスクリプトを表示するようにすると、選択対象のスクリプトをより自由に増やすことができる。ユーザがスクリプトを選択すると、図１０（ａ）〜図１０（ｄ）に示すように受信条件とスクリプトとが対応付けられてテーブルに格納される。このテーブルはフラッシュメモリ６７に記憶され、複合機１０への電力供給が遮断されても保持される。
【００３６】
また、画面８６でリムーバブルメモリ１１に記憶されているスクリプトを選択した場合は、当該選択したスクリプトがリムーバブルメモリ１１からフラッシュメモリ６７にコピーされる。リムーバブルメモリ１１に記憶されているスクリプトを選択した場合、ファクシミリ受信したときにそのリムーバブルメモリ１１がカードスロット４７に接続されていないこともあり得る。リムーバブルメモリ１１に記憶されているスクリプトが選択された場合はそのスクリプトをフラッシュメモリ６７にコピーするようにすると、いつファクシミリ受信しても選択したスクリプトに基づいて印刷を行うことができる。
【００３７】
上述した処理が完了すると、画面８７がＬＣＤ４２ａに表示される。画面８７で「１．対応付けを続ける」を選択すると画面８５ａに戻り、「２．受信条件を変えて対応付けを行う」を選択すると画面８４に戻る。「３．終了」を選択すると設定処理が終了する。
【００３８】
次に、上述したテーブルの詳細について説明する。
図１０（Ａ）〜図１０（Ｄ）は、テーブルの一例を示す模式図である。
図１０（Ａ）は受信条件が送信元番号である送信元番号テーブルであり、図示するように送信元番号を格納する送信元番号列と、スクリプトのファイル名を格納するスクリプト列とで構成されている。
図１０（Ｂ）は受信条件が曜日である曜日テーブルであり、図示するように曜日を識別する情報を格納する曜日列と、スクリプトのファイル名を格納するスクリプト列とで構成されている。
【００３９】
図１０（Ｃ）は受信条件が日である日テーブルであり、図示するように日を識別する情報を格納する日列と、スクリプトのファイル名を格納するスクリプト列とで構成されている。
図１０（Ｄ）は受信条件がグループであるグループテーブルであり、図示するようにグループ名を格納するグループ名列と、スクリプトのファイル名を格納するスクリプト列とで構成されている。
なお、本実施例では印刷定義情報としてスクリプトを例に説明するが、印刷定義情報は装飾画像そのものであってもよい。具体的には例えば、受信条件と装飾画像のファイル名とをテーブルを用いて対応付けてもよい。
【００４０】
次に、複合機１０がデータをファクシミリ受信して印刷する処理について説明する。
図１１は、複合機１０がデータをファクシミリ受信して印刷する処理の流れを示すフローチャートである。本処理はファクシミリ送受信部５０が着呼を検出すると開始される。
【００４１】
Ｓ１０５では、ファクシミリ送受信部５０は着呼に応答して回線接続を行う。この回線接続ではファクシミリ送受信部５０と送信元の機器との間で所定のファクシミリ通信手順に従ってネゴシエーションが行われる。このネゴシエーションにおいてファクシミリ送受信部５０は送信元の機器の電話番号（送信元番号）、画像サイズ、色情報などの受信条件を送信元の機器から取得する。取得したそれらの受信条件はファクシミリ送受信部５０から制御部６５に出力される。なお、送信元番号については、公衆電話回線の交換機がダイヤルイン番号を受信側の機器に通知する所謂ダイヤルインサービスを利用して取得することもできる。
【００４２】
Ｓ１１０では、ファクシミリ送受信部５０はデータの全頁を頁単位にファクシミリ受信する。
Ｓ１１５では、ファクシミリ送受信部５０は回線接続を切断する。
Ｓ１２０では、制御部６５はスクリプトに基づいて印刷するよう設定されているか否かを判定する。この設定は前述した画面８３でユーザが行った設定である。制御部６５はスクリプトに基づいて印刷するように設定されている場合はＳ１２５に進み、そうでなければＳ１３５に進む。
【００４３】
Ｓ１２５では、制御部６５は前述した各テーブルを参照し、受信条件に対応付けられているスクリプトを読み込む。具体的には例えば、制御部６５は計時部４５から今現在の曜日および日を受信条件として取得し、曜日テーブルおよび日テーブルを参照して、今現在の曜日または日にスクリプトが対応付けられているか否かを判定する。同様に制御部６５は送信元番号テーブルおよびグループテーブルを参照し、ファクシミリ送受信部５０から取得した送信元番号、またはその送信元番号が含まれるグループにスクリプトが対応付けられているか否かを判定する。スクリプトが対応付けられていれば制御部６５はそのスクリプトを読み込む。
【００４４】
なお、上述した判定では、複数のテーブルでスクリプトが対応付けられていると判定されることもあり得る。例えば今現在の曜日と当該データの送信元番号とにそれぞれ異なるスクリプトが対応付けられていることもあり得る。このため、例えば予めテーブル間に優先順位を設定しておき、優先順位のより高いテーブルで対応付けられているスクリプトを読み込むようにするとよい。
【００４５】
Ｓ１３０では、制御部６５はファクシミリ受信した１頁分のデータが表す画像を、スクリプトで定義されている装飾画像の合成領域に合成して合成画像を生成する。次に制御部６５は、生成した合成画像をＲＡＭ６６上に仮想的に再現されている印刷領域に当該スクリプトで定義されているレイアウトに従って割り付ける。
Ｓ１３５では、制御部６５はファクシミリ受信したデータが表す画像を従来のファクシミリ装置と同様に所定のレイアウトで印刷媒体に印刷する。Ｓ１３５の処理は従来の一般のファクシミリ装置における印刷処理と同様であり、ここでは処理の詳細な説明は省略する。
【００４６】
Ｓ１４０では、制御部６５はＲＡＭ６６上の仮想的な印刷領域が表す画像を印刷媒体に印刷する。
Ｓ１４５では、制御部６５は次の頁があるか否かを判定する。次の頁がある場合はＳ１３０に戻って全ての頁の印刷が完了するまで上述した処理を繰り返す。次の頁がなければ処理を終了する。
【００４７】
図１（Ａ）および（Ｂ）は、印刷結果の一例を示す模式図である。図１に示す例ではＡ社の送信元番号とＢ社の送信元番号とにそれぞれ異なる装飾画像８０、８１が対応付けられている。その結果、Ａ社およびＢ社からファクシミリ受信したデータ８２、８３はそれぞれ異なる装飾画像８０、８１が合成されて印刷される。これにより、ユーザは装飾画像の違いによっていずれの会社から送信された情報であるかを一目で判別できる。なお、例えば印刷ユニット３０がカラー画像を印刷可能な場合は、Ａ社とＢ社とで装飾画像の色を変えることもできる。装飾画像の色を変えると、ユーザはいずれの会社から送信された情報であるかを色によって容易に判別できるので、ファクシミリ受信したデータが印刷されている印刷媒体をより容易に仕分けできる。
【００４８】
図１２は、印刷結果の別の例を示す模式図である。図示する例の装飾画像は”Ｃｏｎｆｉｄｅｎｔｉａｌ”という文字列を表しており、且つこの装飾画像には前述したαチャンネルデータが付加されている。ファクシミリ受信したデータが表す画像にこの装飾画像を合成すると、図示するように”Ｃｏｎｆｉｄｅｎｔｉａｌ”という文字列がアルファブレンディングされて半透明で印刷される。例えば機密性の高い情報が送られてくる送信元の場合、その送信元番号に上述した装飾画像を対応付けておけば、当該情報が印刷された印刷媒体の取り扱いに対する注意をより確実に喚起できる。
【００４９】
以上説明した本発明の第１実施例に係る複合機１０によると、ファクシミリ送受信部５０でファクシミリ受信したデータが表す画像に当該データをファクシミリ受信した際の受信条件に対応付けられている装飾画像を合成して印刷するので、ユーザは印刷結果を見て一目で受信条件を判別できる。このため、例えばファクシミリ受信したデータが印刷されている印刷媒体をある受信条件毎に仕分けしたいとき、受信条件毎にスクリプトを対応付けておくことにより、印刷媒体の正確な仕分けをより容易に行える。
【００５０】
なお、第１実施例では送信元番号や曜日などにスクリプトを対応付ける場合を例に説明したが、例えば送信元番号がＡ社で曜日が「月曜」であればスクリプト００１．ｕｓｄ、送信元番号が同じくＡ社で曜日が「火曜」であればスクリプト００２．ｕｓｄなどのように、受信条件の組み合わせに対してスクリプトを対応付けてもよい。
【００５１】
（第２実施例）
図１３は、第２実施例に係るスクリプトの模式図である。第２実施例のスクリプトは印刷媒体の１頁に複数の画像をレイアウトして印刷するためのスクリプトである。スクリプトには複数の画像枠が定義されており、各画像枠にはディジタル画像が割り当てられる優先順位が割り振られている。ディジタル画像は優先順位の高い画像枠から順に割り当てられる。優先順位は重複して設定することもでき、同じ優先順位の画像枠には同じディジタル画像が割り当てられる。図１３に示す例は、４つの画像枠が定義され、且つそれら４つの画像枠に同一の優先順位が割り振られているスクリプトの例である。
【００５２】
図１４は、図１３に示すスクリプトに基づいてデータを印刷した結果の一例を示す模式図である。図１３に示すスクリプトに基づいてデータを印刷した結果、図示するように印刷媒体の４つの領域に同一のディジタル画像が印刷される。
【００５３】
このように第２実施例の複合機１０によると、ファクシミリ受信したデータが表す画像を受信条件毎に自由なレイアウトで印刷できる。例えばある特定の送信元からディジタルスチルカメラで撮影したディジタル画像がファクシミリ送信されることがあり、そのディジタル画像については常に複数枚のコピーを行いたい場合、第２実施例のスクリプトを対応付けておくことにより、そのようなコピーの手間を低減できる。
【００５４】
（第３実施例）
図１５は、第３実施例に係るスクリプトの模式図である。第３実施例のスクリプトは頁毎に異なる装飾画像や異なるレイアウトで印刷するためのスクリプトである。図１５に示すスクリプトでは、頁毎に異なる装飾画像が定義されている。
【００５５】
図１６は、図１５に示すスクリプトに基づいてデータを印刷した結果の一例を示す模式図である。このように第３実施例のスクリプトによると、頁毎に異なる装飾画像や異なるレイアウトで印刷できる。
【図面の簡単な説明】
【００５６】
【図１】（Ａ）および（Ｂ）は本発明の一実施例に係る印刷を示す模式図。
【図２】本発明の一実施例に係るファクシミリ装置の外観を示す斜視図。
【図３】本発明の一実施例に係るファクシミリ装置のブロック図。
【図４】本発明の一実施例に係る装飾画像の一例を示す模式図。
【図５】本発明の一実施例に係る印刷定義情報の一例を示す模式図。
【図６】（Ａ）は図５に示したスクリプトに基づく印刷を説明するための模式図、（Ｂ）は図５に示したスクリプトに基づいて印刷された結果を示す模式図。
【図７】本発明の一実施例に係る画面遷移図。
【図８】本発明の一実施例に係る画面遷移図。
【図９】本発明の一実施例に係る画面遷移図。
【図１０】（Ａ）〜（Ｄ）は本発明の一実施例に係るテーブルの模式図。
【図１１】本発明の一実施例に係るフローチャート。
【図１２】本発明の一実施例に係る印刷を示す模式図。
【図１３】本発明の一実施例に係る印刷定義情報の一例を示す模式図。
【図１４】本発明の一実施例に係る印刷を示す模式図。
【図１５】本発明の一実施例に係る印刷定義情報の一例を示す模式図。
【図１６】本発明の一実施例に係る印刷を示す模式図。
【符号の説明】
【００５７】
１０  複合機（ファクシミリ装置）、１１  リムーバブルメモリ（脱着可能な記憶媒体）、３０  印刷ユニット（印刷手段）、４１  外部メモリコントローラ（記憶手段、入力手段）、４２  表示部（選択受付手段、対応付け手段、グループ対応付け手段）、４３  操作部（選択受付手段、対応付け手段、グループ対応付け手段）、４６  ディジタル画像処理部（印刷手段）、５０  ファクシミリ送受信部（受信手段）、６５  制御部（受信手段、記憶手段、印刷手段、選択受付手段、対応付け手段、グループ対応付け手段、入力手段）、６７  フラッシュメモリ（記憶手段、脱着不可能な記憶媒体）
【図１】
2007165986.tif 000003
【図２】
2007165986.tif 000004
【図３】
2007165986.tif 000005
【図４】
2007165986.tif 000006
【図５】
2007165986.tif 000007
【図６】
2007165986.tif 000008
【図７】
2007165986.tif 000009
【図８】
2007165986.tif 000010
【図９】
2007165986.tif 000011
【図１０】
2007165986.tif 000012
【図１１】
2007165986.tif 000013
【図１２】
2007165986.tif 000014
【図１３】
2007165986.tif 000015
【図１４】
2007165986.tif 000016
【図１５】
2007165986.tif 000017
【図１６】
2007165986.tif 000018